(57)【特許請求の範囲】
【請求項１】
カメラから入力される画像データを処理し、画像表示データを生成する画像処理部と、
当該電子機器に搭載された各機能を動作制御するとともに、前記画像表示データとは異なる第２の表示データを生成するＣＰＵと、
前記画像表示データ及び前記第２の表示データを表示する表示部と、を備えた電子機器において、
前記画像処理部にて生成した画像表示データを前記ＣＰＵを介さずに前記表示部に出力する出力手段と、
前記ＣＰＵ及び前記画像処理部の双方からアクセス可能であり、前記ＣＰＵから出力される第２の表示データを一時格納する記憶部と、を備え、
前記出力手段は、前記画像処理部から画像表示データを前記表示部に出力する際、この記憶部から前記第２の表示データを読出し、これらの表示データをともに前記ＣＰＵを介さずに表示部に出力することを特徴とする電子機器。
【請求項２】
前記出力手段は、
前記画像処理部と前記表示部との間でデータを伝送する第１のバスと、
前記表示部及び前記画像処理部を含む当該電子機器の各デバイスと前記ＣＰＵとの間でデータを伝送する第２のバスと、
前記第２のバスにおいてＣＰＵ及び画像処理部間のデータ伝送を切断或いは接続する切替手段と、を備え、
この切替手段によって、前記第２のバスにおけるＣＰＵ及び画像処理部間のデータ伝送を切断した状態で、前記画像処理部において生成された画像表示データを前記第１のバスから前記表示部に出力することを特徴とする請求項１記載の電子機器。
【請求項３】
カメラモードを設定する設定手段を更に備え、
前記切替手段は、この設定手段によってカメラモードを設定した際に、前記第２のバスにおけるＣＰＵ及び画像処理部間のデータ伝送を切断することを特徴とする請求項２記載の電子機器。
【請求項４】
前記設定手段によってカメラモードが設定された状態で、シャッターキーが押下されると、前記第２のバスにおけるＣＰＵ及び画像処理部間のデータ伝送を接続することを特徴とする請求項３記載の電子機器。
【請求項５】
音声通話手段及びデータ通信手段のうち少なくとも一方を更に備え、
前記第２の表示データは音声通話またはデータ通信に関する表示内容を含むことを特徴とする請求項１から４の何れかに記載の電子機器。
【発明の詳細な説明】
【０００１】
【発明の属する技術分野】
本発明は、電子機器に係り、詳細にはカメラ機能を備えた電子機器に関する。
【０００２】
【従来の技術】
近年、様々な電子機器に画像データを撮影するカメラ機能が搭載されている。
例えば、ＣＣＤ（Charge Coupled Device）カメラを備えた携帯電話が開発されている。この種の携帯電話ではＣＣＤカメラから取り込んだ画像を、動画像データとして表示部に表示させるとともに、電波受信状況（アンテナバー）やバッテリ残量等の携帯電話機能に関する付帯情報を表示部（ＬＣＤ）に表示させる。
【０００３】
図３は、従来のカメラ機能付き携帯電話１０における表示機能に係る構成を示すブロック図である。
図３に示すように、従来のカメラ機能付き携帯電話１０は、その表示機能に係る構成として、ＣＰＵ１２、カメラＩ／Ｆ１３、カメラ４、ＬＣＤ７、バッファ１４、メモリ１５を備え、カメラ４及びカメラＩ／Ｆ１３間はバスＢ１１により接続され、ＣＰＵ１２、ＬＣＤ７、バッファ１４、及びメモリ１５の各部はバスＢ１２により接続されている。
【０００４】
以下、カメラ４から入力される画像データを連続的に処理してＬＣＤ７に動画像として表示する場合の従来の動作について説明する。
【０００５】
カメラ４からの画像データはバスＢ１１を介してカメラＩ／Ｆ１３に入力され、更にバッファ１４に一時的に保存される。バッファ１４はＣＰＵ１２が正確なタイミングで画像データを読込むために設けられるものであり、カメラＩ／Ｆ１３から供給される画像データを一時蓄積する。
【０００６】
カメラＩ／Ｆ１３は、カメラ４から画像データが供給されると、その画像データをバッファ１４に出力する。また、カメラＩ／Ｆ１３はバスＢ１１とバスＢ１２のタイミングの違いを吸収するためのタイミング制御を行うとともに、カメラ４側のバスＢ１１とＣＰＵ１２側のバスＢ１２とのバス幅が異なる場合は、これらのバス幅をバスＢ１２のバス幅に合わせるよう制御する。
【０００７】
ＣＰＵ１２は画像データの処理をソフトウェアにて実行している。即ち、図示しないワークメモリに画像処理プログラムが展開されており、ＣＰＵ１２はこの画像処理プログラムに従って、カメラＩ／Ｆ１３から供給され、バッファ１４に蓄積された画像データを取り込み、色空間変換、サイズ変換、色数変換等の必要な画像処理を行った後、画像表示データとしてＬＣＤ７に出力する。この時、ＣＰＵ１２は画像表示データに付帯情報を付加してＬＣＤ７に出力する。
【０００８】
ＬＣＤ７は、ＣＰＵ１２から供給される表示データに従って、動画像及び付帯情報を表示画面に表示する。
【０００９】
また、ユーザのシャッター操作により、ＣＰＵ１２にシャッター信号が入力されると、ＣＰＵ１２は画像取り込み停止信号をカメラＩ／Ｆ１３に出力し、カメラＩ／Ｆ１３はカメラ４から供給される画像データの取り込みを終了する。また、ＣＰＵ１２はシャッターが押下されたタイミングでカメラ４から取り込んだ画像データを、バッファ１４からリードして、静止画として所定時間ＬＣＤ７に出力し続けるとともに、メモリ１５にバッファ１４からリードされた当該画像データを他のアプリケーションソフトで使用できるように保存する。
【００１０】
以上説明したように、従来のカメラ機能付き携帯電話１０をカメラとして使用する場合、カメラ４から取り込んだ画像データの画像処理、付帯情報の管理やその表示、及びアプリケーションプログラムの実行といった様々な処理をＣＰＵ１２で集中して行っていた。
【００１１】
【発明が解決しようとする課題】
しかしながら、一般に画像処理の処理量は大きく、また、連続した動画像を滑らかに表示させるために、多大なＣＰＵパワーが要求され、ＣＰＵ１２の負荷が大きかった。また、ＣＰＵ１２側のバスＢ１２は画像データの入出力で占有されてしまい、バスＢ１２に接続されている他のデバイスへのアクセスが困難となり、携帯電話本来の動作や他のアプリケーションの動作を妨げる恐れがあった。
【００１２】
本発明の課題は、カメラ機能を搭載した電子機器において、カメラから入力される画像を表示する際のＣＰＵの負荷を軽減することである。
【００１３】
【課題を解決するための手段】
このような課題を解決するため、請求項１記載の発明は、
カメラから入力される画像データを処理し、画像表示データを生成する画像処理部（例えば、図１に示すカメラＩ／Ｆ３）と、
当該電子機器に搭載された各機能を動作制御するとともに、前記画像表示データとは異なる第２の表示データを生成するＣＰＵ（例えば、図１に示すＣＰＵ２）と、
前記画像表示データ及び前記第２の表示データを表示する表示部（例えば、図１に示すＬＣＤ７）と、を備えた電子機器において、
前記画像処理部にて生成した画像表示データを前記ＣＰＵを介さずに前記表示部に出力する出力手段（例えば、図１に示すバスＢ２、スイッチ８）と、
前記ＣＰＵ及び前記画像処理部の双方からアクセス可能であり、前記ＣＰＵから出力さ
れる第２の表示データを一時格納する記憶部（例えば、図１に示すＤＰＲＡＭ６）と、を備え、
前記出力手段は、前記画像処理部から画像表示データを前記表示部に出力する際、この記憶部から前記第２の表示データを読出し、これらの表示データをともに前記ＣＰＵを介さずに表示部に出力することを特徴としている。
【００１４】
請求項１記載の発明によれば、カメラから入力される画像データをＣＰＵで実行される処理とは別に画像処理部で処理し、この画像処理部において生成された画像表示データを出力手段によってＣＰＵを介さずに表示部へ出力するので、ＣＰＵの負荷を軽減できる。
【００１５】
また、請求項２記載の発明のように、請求項１記載の電子機器において、
前記出力手段は、
前記画像処理部と前記表示部との間でデータを伝送する第１のバス（例えば、図１に示すバスＢ２）と、
前記表示部及び前記画像処理部を含む当該電子機器の各デバイスと前記ＣＰＵとの間でデータを伝送する第２のバス（例えば、図１に示すバスＢ４）と、
前記第２のバスにおいてＣＰＵ及び画像処理部間のデータ伝送を切断或いは接続する切替手段（例えば、図１に示すスイッチ８）と、を備え、
この切替手段によって、前記第２のバスにおけるＣＰＵ及び画像処理部間のデータ伝送を切断した状態で、前記画像処理部において生成された画像表示データを前記第１のバスから前記表示部に出力することが有効である。
【００１６】
この請求項２記載の発明によれば、第１のバスと、第２のバスと、切替手段と、によって、第２のバスにおけるＣＰＵ及び画像処理部間のデータ伝送を切断した状態で、画像処理部において生成された画像表示データを第１のバスから表示部に出力するので、第２のバスのトラフィックを軽減できる。そのためＣＰＵから他のデバイスへのアクセスが容易となり、画像処理以外の他の処理の実行を妨げることなく、画像を表示できる。
【００１７】
また、請求項３記載の発明のように、請求項２記載の電子機器において、
カメラモードを設定する設定手段を更に備え、
前記切替手段は、この設定手段によってカメラモードを設定した際に（例えば、図１に示すカメラモード信号）、前記第２のバスにおけるＣＰＵ及び画像処理部間のデータ伝送を切断することが有効である。
【００１８】
請求項３記載の発明によれば、設定手段によってカメラモードを設定すればＣＰＵ及び画像処理部間のデータ伝送を切断させ、画像処理部から直接画像表示データを表示部へ出力させることができるので、複数の機能を併せ持つ電子機器において、カメラ機能以外の機能を利用する際には、その機能に関する表示データ（第２の表示データ）をＣＰＵから表示部へ伝送して表示させることも可能となる。
【００１９】
また、請求項４記載の発明のように、請求項３に記載の電子機器において、前記設定手段によってカメラモードが設定された状態で、シャッターキーが押下されると、前記第２のバスにおけるＣＰＵ及び画像処理部間のデータ伝送を接続することが有効である。
【００２０】
請求項１記載の発明によれば、記憶部にＣＰＵから出力される第２の表示データを一時格納することにより、ＣＰＵ及び画像処理部間のデータ伝送が切断されている場合にも、ＣＰＵから出力される第２の表示データを記憶部から読み出して画像表示データとともに表示部に出力できるため、画像表示データとその他の表示データとを同時に表示できる。
【００２１】
また、請求項５の発明のように、請求項１から４の何れかに記載の電子機器において、
音声通話手段及びデータ通信手段のうち少なくとも一方を更に備え、
前記第２の表示データは音声通話またはデータ通信に関する表示内容を含むことが有効である。
【００２２】
この請求項５記載の発明によれば、音声通話やデータ通信を行なう、例えば携帯電話等の電子機器に本発明を適用した場合は、ＣＰＵの負荷の減少により通話品質やデータ通信品質を損なわずに画像を表示できる。
【００２３】
【発明の実施の形態】
以下、図を参照して本発明の実施の形態であるカメラ機能付き携帯電話１について詳細に説明する。
【００２４】
まず構成を説明する。
図１は、カメラ機能付き携帯電話１の表示制御に関する構成を示すブロック図である。
図１に示すように、カメラ機能付き携帯電話１は、その表示機能に係る構成として、ＣＰＵ２、カメラＩ／Ｆ３、カメラ４、メモリ５、デュアルポートＲＡＭ（以下、ＤＰＲＡＭという）６、ＬＣＤ７、及びスイッチ（ＳＷ）８を備える。
【００２５】
カメラ４は、ガラスまたはプラスチックからなる光学レンズ、及びＣＣＤやＣＭＯＳ等の光学センサにより構成され、光学レンズを介して入力される画像を光学センサで電気信号に変換し、画像データとしてカメラＩ／Ｆ３に出力する。
【００２６】
カメラＩ／Ｆ３はバスＢ１を介してカメラ４に接続され、バスＢ２を介してＬＣＤ７及びスイッチ８に接続され、バスＢ３を介してメモリ５に接続され、バスＢ５を介してＤＰＲＡＭ６の出力端子に接続される。また、ＣＰＵ２はバスＢ４を介してＤＰＲＡＭ６の入力端子及びスイッチ８に接続される。スイッチ８はバスＢ２とバスＢ４を切断、或いは接続するための切替手段であり、スイッチの切替はＣＰＵ２から出力されるカメラモード信号によって制御される。
【００２７】
本発明において、カメラＩ／Ｆ３は、カメラ４から供給される画像データをメモリ５に蓄積するとともに、この画像データに対して色空間変換、サイズ変換、色数変換等の必要な画像処理を実行し、画像表示データを生成して、バスＢ２を介してＬＣＤ７に出力する。この時、スイッチ８は開放され、即ちバスＢ２はＣＰＵ２側のバスＢ４から切断されており、画像表示データがバスＢ４に載らないようにしている。また、カメラＩ／Ｆ３はＣＰＵ２から供給され、ＤＰＲＡＭ６に記憶されている付帯情報を読出し、この付帯情報に関する表示データを画像表示データとともにＬＣＤ７に出力する。
【００２８】
ＣＰＵ２は、図示しない操作部からカメラモードが設定されると、カメラモード信号をカメラＩ／Ｆ３及びスイッチ８に供給し、カメラＩ／Ｆ３にカメラ４からの画像データの取り込みを開始させ、取り込んだ画像データについての画像処理を実行させるとともに、スイッチ８を開放する。また、カメラモード設定中、ＣＰＵ２はＬＣＤ７に表示すべき付帯情報をバスＢ４を介してＤＰＲＡＭ６に書き込む。
【００２９】
また、カメラモードに設定されている間に、上記操作部からシャッターキー押下に基づくシャッター信号が入力されると、ＣＰＵ２はこのシャッター信号に応じてカメラモード信号をトグルさせ、スイッチ８を閉状態とするとともに、カメラＩ／Ｆ３にカメラ４からの画像データの取り込みを終了させる。カメラモード信号のトグルによりカメラＩ／Ｆ３は次にカメラ４から送られた画像フレームをメモリ５に蓄積し、バスＢ２からメモリ５が読めるようにする。これにより、ＣＰＵ２は、カメラＩ／Ｆ３を介してメモリ５にアクセスし、メモリ５に蓄積された画像データを読出し、静止画像表示のためのアプリケーションプログラムを実行して、この画像データから静止画像表示データを生成し、ＬＣＤ７に出力するとともに、付帯情報に関する表示データをＬＣＤ７に出力する。
【００３０】
カメラモード以外では、ＣＰＵ２はスイッチ８を閉状態とし、即ちバスＢ２とバスＢ４を接続し、付帯情報やアプリケーションプログラムにて処理された表示データをＣＰＵ２からＬＣＤ７に対して出力する。
【００３１】
メモリ５は、シャッターキー押下時にＣＰＵ２で実行されるアプリケーションプログラムで使用するため、カメラＩ／Ｆ３から供給される画像データを蓄積して記憶する。
【００３２】
ＤＰＲＡＭ６は、その入力端子側がバスＢ４を介してＣＰＵ２に接続され、出力端子がバスＢ５を介してカメラＩ／Ｆ３に接続されたメモリであり、ＣＰＵ２及びカメラＩ／Ｆ３の双方からのアクセスが可能なメモリである。ＤＰＲＡＭ６にはＣＰＵ２からバスＢ４を介して供給される付帯情報が書込まれ、この書込まれた付帯情報はカメラモードにおいてカメラＩ／Ｆ３から読み出され、画像表示データとともにバスＢ２を介してＬＣＤ７に出力される。なお、このＣＰＵ２から供給される付帯情報をカメラＩ／Ｆ３に渡すための回路素子は、ＤＰＲＡＭ６に代えてＦＩＦＯ（First-In First-Out）回路としてもよい。これはデータの流れが常に一方向（ＣＰＵ２から入力されカメラＩ／Ｆ３へ出力）であるためである。
【００３３】
ＬＣＤ７は、液晶パネル、ＬＣＤコントローラ（LCD CTRL）、及びバックライト等を備えて構成され、ＬＣＤコントローラから入力される駆動信号に基づく各種表示を行う。ＬＣＤコントローラはカメラＩ／Ｆ３またはＣＰＵ２から供給される表示データに基づいて液晶パネルを駆動するための駆動信号を生成し、出力する。
【００３４】
図２は、ＬＣＤ７の表示画面例を示す図である。
カメラモードにおいてＬＣＤ７の表示画面には、図２に示すように付帯情報表示エリア７１と動画像表示エリア７２とが形成され、付帯情報と動画像とが同時に表示される。付帯情報表示エリア７１には、付帯情報として電波受信状況を示すアンテナバー７１ａやバッテリ残量を示す電池マーク７２ｂ等が表示される。また、動画像表示エリア７２には、カメラＩ／Ｆ３から供給される画像表示データが連続的な動画像として表示される。
【００３５】
図２では付帯情報表示エリア７１を表示画面上部に設け、動画像表示エリア７２を表示画面下部に設けた例を示しているが、これはカメラＩ／Ｆ３において、カメラ４或いはＤＰＲＡＭ６からのデータ読出し順序に依存するものであり、この読出し順序を変更することにより任意の位置に付帯情報を表示させることができる。
【００３６】
なお、図示せぬが、当該携帯電話１には電話機能やデータ通信機能を実現するための構成として、ベースバンド処理回路、変復調回路、アンテナ、音声処理回路、操作部、マイク、及びスピーカ等を備えており、これらの各部はＣＰＵ２により制御される。
【００３７】
次に動作を説明する。
カメラ機能付き携帯電話１をカメラモード以外、即ち携帯電話として使用したり、他のアプリケーションを実行する際には、スイッチ８は閉じられており、バスＢ２とバスＢ４は接続されている。この時、ＬＣＤ７への表示データ（付帯情報を含む）は全てＣＰＵ２から供給されている。
【００３８】
カメラモードが設定されると、ＣＰＵ２はスイッチ８にカメラモード信号を出力し、スイッチ８を開放する。また、カメラＩ／Ｆ３にもカメラモード信号を出力し、カメラ４からの画像データの取り込みを開始させる。
【００３９】
カメラＩ／Ｆ３はＣＰＵ２から入力されるカメラモード信号に応じて、カメラ４からの画像データの取り込みを開始する。また、カメラ４から取り込んだ画像データに対して、色空間変換、サイズ変換、色数変換等の必要な処理をカメラＩ／Ｆ３内で実行し、画像表示データを生成してＣＰＵ２を介さずに直接ＬＣＤ７に出力する。このとき、バスＢ２とバスＢ４はスイッチ８により分離されているので、カメラＩ／Ｆ３からの画像表示データがバスＢ４に載ることはない。
【００４０】
カメラモードに設定されている際、ＣＰＵ２はＬＣＤ７に表示させるべき付帯情報をバスＢ４を介してＤＰＲＡＭ６に書き込む。カメラＩ／Ｆ３はＤＰＲＡＭ６にアクセスして付帯情報を読出し、ＬＣＤ７に出力する。
【００４１】
以上のように、カメラモードではカメラ４から取り込んだ画像データがカメラＩ／Ｆ３にて画像処理され、画像表示データとしてＣＰＵ２を介さずにＬＣＤ７に出力され、動画像として連続的に表示される。同時にＣＰＵ２からの付帯情報も表示される。
【００４２】
次に、カメラモード設定中にシャッター操作がなされた場合の動作について説明する。
カメラモード設定中にユーザの操作によってシャッター信号がＣＰＵ２に入力されると、ＣＰＵ２はこのシャッター信号に応じてカメラモード信号をトグルさせ、スイッチ８を閉じる。即ち、バスＢ２とバスＢ４を接続する。この時、カメラＩ／Ｆ３に供給されるカメラモード信号もトグルし、カメラＩ／Ｆ３はカメラモード信号に応じて、次にカメラ４から出力された画像データをメモリ５に保存した後、カメラ４からの画像データの取り込みを終了する。
【００４３】
そして、ＣＰＵ２はバスＢ２及びバスＢ４を介してカメラＩ／Ｆ３に接続されたメモリ５にアクセスし、メモリ５に蓄積された画像データを読出す。ＣＰＵ２は、静止画像を撮影するためのアプリケーションプログラムに従って、読み出した画像データについての静止画像表示データを生成し、付帯情報に関する表示データとともにＬＣＤ７に出力する。
【００４４】
以上のように、カメラモード設定中にシャッターが押下された場合は、ＣＰＵ２にて静止画像を表示させるためのアプリケーションプログラムを実行し、メモリ５から取り込んだ画像データについて必要な画像処理を施し、静止画像を生成して、ＬＣＤ７に表示させる。
【００４５】
以上説明したように、本発明のカメラ機能付き携帯電話１は、カメラＩ／Ｆ３及びＬＣＤ７間のデータを伝送するバスＢ２と、ＣＰＵ２及び当該携帯電話１に設けられる各デバイス間でデータを伝送するバスＢ４と、を切断或いは接続するスイッチ８を設け、カメラモードではスイッチ８を開放して、カメラＩ／Ｆ３及びＬＣＤ７とＣＰＵ２との間のデータ伝送を切断し、カメラ４から入力された画像データをカメラＩ／Ｆ３内で画像処理して画像表示データを生成し、バスＢ２からＣＰＵ２を介さずにＬＣＤ７に出力する。また、ＣＰＵ２にて管理される付帯情報等の表示データは、ＤＰＲＡＭ６に一旦蓄積された後、カメラＩ／Ｆ３から所定のタイミングで読み出されて画像表示データとともにＬＣＤ７に出力される。
【００４６】
従って、カメラ４から取り込んだ画像を動画像としてＬＣＤ７に表示させる際、画像データはＣＰＵ２を介さずにカメラＩ／Ｆ３にて所定の画像処理が施された後に画像表示データとしてＬＣＤ７に出力されるため、ＣＰＵ２側のバスＢ４のトラフィックが軽減する。また、色空間変換、サイズ変換、色数変換等の画像処理がカメラＩ／Ｆ３で行われるため、ＣＰＵ２における処理量を削減でき、ＣＰＵ２の負荷を軽減できる。特に、同時に複数のアプリケーションを動作させる可能性の高い次世代携帯電話にあっては、ＣＰＵ２の負荷を軽減することは非常に有用である。
【００４７】
また、カメラＩ／Ｆ３にて処理を実行しない時（カメラモード以外）はカメラＩ／Ｆ３のクロックを停止するか、または電源供給を停止すれば、消費電力を小さくできる。
【００４８】
なお、本発明において、カメラ４は携帯電話本体に一体的に設けられているもの、或いは別体で着脱自在に設けられるものの何れであってもよい。また、別体で設けられる場合は、携帯電話１に当該カメラ４からの画像データを入力するための、例えばコネクタ、赤外線通信、或いは近距離無線通信等により構成されるデータ入力インターフェイスを設け、カメラ４をこのデータ入力インターフェイスに接続した際に、カメラモードに設定され、上記動作を行うものとしてもよい。
【００４９】
また、本発明の一例としてカメラ機能を搭載した携帯電話について説明したが、図１に示す各構成要素のうち、スイッチ８、カメラＩ／Ｆ３、メモリ５、ＤＰＲＡＭ６、バスＢ２、及びバスＢ４を含む部分をＡＳＩＣ（特定用途向けＩＣ）に実装し、当該ＡＳＩＣをＣＰＵ２、表示部（ＬＣＤ７）、及びカメラ４を備えたカメラ機能付き各種電子機器に組み込んで構成するようにしてもよい。例えば、ＰＤＡ（Personal Digital Assistants）等、カメラ機能を備えた他の電子機器に適用することも可能である。このとき、カメラからの画像とともに表示される付帯情報はその電子機器のＣＰＵで実行される各種アプリケーションプログラムで処理された表示データを含む。
【００５０】
また、ＣＰＵ２は付帯情報をＤＰＲＡＭ６を介してカメラＩ／Ｆ３へ供給する際、ＬＣＤ７に表示する実際の表示データを供給するようにしてもよいが、表示すべき付帯情報が携帯電話１の電波受信状況、バッテリ残量、及びモード表示等のように表示パターンの限られたものである場合には、ＣＰＵ２はこれらをパラメータとしてカメラＩ／Ｆ３に供給し、カメラＩ／Ｆ３でパラメータに基づく付帯情報表示データを生成するようにしてもよい。
【００５１】
その他、電子機器に搭載する各種モードや、その設定方法についても任意であり、カメラＩ／Ｆ３におけるＤＰＲＡＭ６からの付帯情報読出しタイミング等についても本発明の趣旨を逸脱しない範囲で適宜変更可能である。
【００５２】
【発明の効果】
請求項１記載の発明によれば、カメラから入力される画像データをＣＰＵで実行される処理とは別に画像処理部で処理し、この画像処理部において生成された画像表示データを出力手段によってＣＰＵを介さずに表示部へ出力するので、ＣＰＵの負荷を軽減できる。
【００５３】
請求項２記載の発明によれば、第１のバスと、第２のバスと、切替手段と、によって、第２のバスにおけるＣＰＵ及び画像処理部間のデータ伝送を切断した状態で、画像処理部において生成された画像表示データを第１のバスから表示部に出力するので、第２のバスのトラフィックを軽減できる。そのためＣＰＵから他のデバイスへのアクセスが容易となり、画像処理以外の他の処理の実行を妨げることなく、画像を表示できる。
【００５４】
請求項３記載の発明によれば、設定手段によってカメラモードを設定すればＣＰＵ及び画像処理部間のデータ伝送を切断させ、画像処理部から直接画像表示データを表示部へ出力させることができるので、複数の機能を併せ持つ電子機器において、カメラ機能以外の機能を利用する際には、その機能に関する表示データ（第２の表示データ）をＣＰＵから表示部へ伝送して表示させることも可能となる。
【００５５】
請求項１記載の発明によれば、記憶部にＣＰＵから出力される第２の表示データを一時格納することにより、ＣＰＵ及び画像処理部間のデータ伝送が切断されている場合にも、ＣＰＵから出力される第２の表示データを記憶部から読み出して画像表示データとともに表示部に出力できるため、画像表示データとその他の表示データとを同時に表示できる。
【００５６】
請求項５記載の発明によれば、音声通話やデータ通信を行なう、例えば携帯電話等の電子機器に本発明を適用した場合は、ＣＰＵの負荷の減少により通話品質やデータ通信品質を損なわずに画像を表示できる。
【図面の簡単な説明】
【図１】カメラ機能付き携帯電話１の表示に関する構成を示すブロック図である。
【図２】ＬＣＤ７の表示画面例を示す図である。
【図３】従来のカメラ機能付き携帯電話１０における表示に関する構成を示すブロック図である。
【符号の説明】
１            カメラ機能付き携帯電話
２            ＣＰＵ
３            カメラＩ／Ｆ
４            カメラ
５            メモリ
６            デュアルポートＲＡＭ（ＤＰＲＡＭ）
７            ＬＣＤ
８            スイッチ
Ｂ１〜Ｂ５    バス
【図１】
0004349740.tif 000002
【図２】
0004349740.tif 000003
【図３】
0004349740.tif 000004